(57)【要約】【課題】所望の色相で表示映像をユーザに認識させることを可能とする信号変換装置、映像表示装置及び信号変換方法を提供する。【解決手段】信号変換装置１００は、映像入力信号の輝度の高さに応じて、映像入力信号の補正対象範囲を設定する補正対象範囲設定部５０と、補正対象範囲設定部５０によって設定された補正対象範囲内に映像入力信号の色相が含まれる場合に、映像入力信号の色相を補正して、映像入力信号に対応する映像出力信号を取得する補正部（輝度補正部３０や色相補正部４０）とを備える。【選択図】図１
2008219290.tif 000002
【特許請求の範囲】
【請求項１】
映像入力信号の輝度の高さに応じて、前記映像入力信号の補正対象範囲を設定する範囲設定部と、
前記範囲設定部によって設定された前記補正対象範囲内に前記映像入力信号の色相が含まれる場合に、前記映像入力信号の色相を補正して、前記映像入力信号に対応する映像出力信号を取得する補正部とを備えることを特徴とする信号変換装置。
【請求項２】
前記補正部は、前記映像入力信号の輝度の高さに応じて、前記映像入力信号の色相を補正することを特徴とする請求項１に記載の信号変換装置。
【請求項３】
前記補正部は、前記映像入力信号の輝度の高さに応じて、前記映像入力信号の輝度を補正することを特徴とする請求項１に記載の信号変換装置。
【請求項４】
前記範囲設定部は、前記映像入力信号の輝度が高い場合に、前記補正対象範囲を狭く設定し、前記映像入力信号の輝度が低い場合に、前記補正対象範囲を広く設定することを特徴とする請求項１に記載の信号変換装置。
【請求項５】
前記補正部は、前記映像入力信号の色相の種類及び前記映像入力信号の輝度の高さに応じて、前記映像入力信号の色相の補正方法を変更することを特徴とする請求項１に記載の信号変換装置。
【請求項６】
前記補正部は、前記映像入力信号の色相の種類及び前記映像入力信号の輝度の高さに応じて、前記映像入力信号の輝度の補正方法を変更することを特徴とする請求項２又は請求項３に記載の信号変換装置。
【請求項７】
前記映像入力信号の色相に応じて、１フレームに含まれる複数の画素を複数の色相カテゴリに分類するとともに、前記複数の画素が分類された前記色相カテゴリの数を計数する補正判定部をさらに備え、
前記補正判定部は、前記複数の画素が分類された前記色相カテゴリの数に応じて、前記映像入力信号の補正を行うか否かを判定することを特徴とする請求項１に記載の信号変換装置。
【請求項８】
請求項１〜請求項７のいずれかに記載の信号変換装置を備えることを特徴とする映像表示装置。
【請求項９】
映像入力信号の輝度の高さに応じて、前記映像入力信号の補正対象範囲を設定するステップＡと、
前記ステップＡで設定された前記補正対象範囲内に前記映像入力信号の色相が含まれる場合に、前記映像入力信号の色相を補正して、前記映像入力信号に対応する映像出力信号を取得するステップＢとを含むことを特徴とする信号変換方法。
【発明の詳細な説明】
【技術分野】
【０００１】
本発明は、映像入力信号の色相に応じて映像入力信号を補正する信号変換装置、映像表示装置及び信号変換方法に関する。
【背景技術】
【０００２】
従来、映像入力信号（赤入力信号Ｒｉｎ、緑入力信号Ｇｉｎ及び青入力信号Ｂｉｎ）に基づいて映像入力信号の色相を判定した上で、映像入力信号の色相が特定色（例えば、肌色）の色相である場合に、映像入力信号を補正する技術が知られている。
【０００３】
具体的には、このような技術では、特定色の色相を含む所定範囲（以下、補正対象範囲）内に映像入力信号の色相が含まれる場合に、映像入力信号の色相や輝度などを補正する(例えば、特許文献１や特許文献２)。
【０００４】
また、映像入力信号の色相が補正対象範囲内に含まれる場合であっても、映像入力信号の色飽和度（彩度）や輝度に応じて、映像入力信号を補正するか否か判定する技術も提案されている（例えば、特許文献３や特許文献４）。
【特許文献１】特開２００３−２２４８６０号公報（例えば、請求項１など）
【特許文献２】特開２００５−１３０４７７号公報（例えば、請求項１など）
【特許文献３】特開平６−５４３３７号公報（例えば、請求項１、［００１３］など）
【特許文献４】特開平６−３８２３０号公報（例えば、請求項１、［００１７］など）
【発明の開示】
【発明が解決しようとする課題】
【０００５】
ここで、人間の視覚特性を考慮した場合に、ユーザが認識する色について考える。具体的には、実際に表示された映像（表示映像）の色相が同じであっても、表示映像の輝度が異なる場合には、ユーザが認識する色相が異なる場合がある。
【０００６】
例えば、表示映像の色相が肌色の色相である場合について考えると、表示映像の輝度が高い場合には、ユーザは表示映像を純粋な肌色と認識するが、表示映像の輝度が低い場合には、ユーザは表示映像を赤っぽい肌色と認識する。
【０００７】
しかしながら、上述した従来技術では、人間の視覚特性を考慮せずに映像入力信号の補正対象範囲が設定されているため、所望の色相で表示映像をユーザに認識させることができない場合があった。
【０００８】
そこで、本発明は、上述した課題を解決するためになされたものであり、所望の色相で表示映像（画素）をユーザに認識させることを可能とする信号変換装置、映像表示装置及び信号変換方法を提供することを目的とする。
【課題を解決するための手段】
【０００９】
本発明の一の特徴では、信号変換装置は、映像入力信号の輝度の高さに応じて、前記映像入力信号の補正対象範囲を設定する範囲設定部（補正対象範囲設定部５０）と、前記範囲設定部によって設定された前記補正対象範囲内に前記映像入力信号の色相が含まれる場合に、前記映像入力信号の色相を補正して、前記映像入力信号に対応する映像出力信号を取得する補正部（輝度補正部３０や色相補正部４０）とを備える。
【００１０】
かかる特徴によれば、範囲設定部は、映像入力信号の輝度の高さに応じて、映像入力信号の補正対象範囲を設定する。すなわち、範囲設定部は、人間の視覚特性を考慮して補正対象範囲を設定する。従って、信号変換装置は、映像入力信号の補正を適切に行うことができ、所望の色相で表示映像（画素）をユーザに認識させることができる。
【００１１】
本発明の一の特徴において、前記補正部は、前記映像入力信号の輝度の高さに応じて、前記映像入力信号の色相を補正することが好ましい。
【００１２】
本発明の一の特徴において、前記補正部は、前記映像入力信号の輝度の高さに応じて、前記映像入力信号の輝度を補正することが好ましい。
【００１３】
本発明の一の特徴において、前記範囲設定部は、前記映像入力信号の輝度が高い場合に、前記補正対象範囲を狭く設定し、前記映像入力信号の輝度が低い場合に、前記補正対象範囲を広く設定することが好ましい。
【００１４】
本発明の一の特徴において、前記補正部は、前記映像入力信号の色相の種類及び前記映像入力信号の輝度の高さに応じて、前記映像入力信号の色相の補正方法を変更することが好ましい。
【００１５】
本発明の一の特徴において、前記補正部は、前記映像入力信号の色相の種類及び前記映像入力信号の輝度の高さに応じて、前記映像入力信号の輝度の補正方法を変更することが好ましい。
【００１６】
本発明の一の特徴において、信号変換装置は、前記映像入力信号の色相に応じて、１フレームに含まれる複数の画素を複数の色相カテゴリに分類するとともに、前記複数の画素が分類された前記色相カテゴリの数を計数する補正判定部（補正判定部９０）をさらに備えており、前記補正判定部は、前記複数の画素が分類された前記色相カテゴリの数に応じて、前記映像入力信号の補正を行うか否かを判定することが好ましい。
【００１７】
本発明の一の特徴では、映像表示装置は、上述したいずれかの特徴に係る信号変換装置を備える。
【００１８】
本発明の一の特徴では、信号変換方法は、映像入力信号の輝度の高さに応じて、前記映像入力信号の補正対象範囲を設定するステップＡと、前記ステップＡで設定された前記補正対象範囲内に前記映像入力信号の色相が含まれる場合に、前記映像入力信号の色相を補正して、前記映像入力信号に対応する映像出力信号を取得するステップＢとを含む。
【発明の効果】
【００１９】
本発明によれば、所望の色相で表示映像をユーザに認識させることを可能とする信号変換装置、映像表示装置及び信号変換方法を提供することができる。
【発明を実施するための最良の形態】
【００２０】
以下において、本発明の実施形態に係る信号変換装置について、図面を参照しながら説明する。なお、以下の図面の記載において、同一又は類似の部分には、同一又は類似の符号を付している。
【００２１】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２２】
［第１実施形態］
（信号変換装置の構成）
以下において、第１実施形態に係る信号変換装置の構成について、図面を参照しながら説明する。図１は、第１実施形態に係る信号変換装置１００の構成を示すブロック図である。なお、第１実施形態では、信号変換装置１００は、映像入力信号の色相が特定色（肌色）の色相である場合に、映像入力信号を補正する装置であることに留意すべきである。
【００２３】
図１に示すように、信号変換装置１００は、輝度／色差信号変換部１０と、色相変換部２０と、輝度補正部３０と、色相補正部４０と、補正対象範囲設定部５０と、選択処理部６０と、選択処理部７０と、ＲＧＢ信号変換部８０とを有する。
【００２４】
輝度／色差信号変換部１０は、映像入力信号（赤入力信号Ｒｉｎ、緑入力信号Ｇｉｎ及び青入力信号Ｂｉｎ）を取得して、輝度信号（輝度入力信号Ｙｉｎ）と色差信号（色差入力信号ＲＹｉｎ、色差入力信号ＢＹｉｎ）とに映像入力信号を変換する。
【００２５】
なお、輝度入力信号Ｙｉｎは、輝度補正部３０、補正対象範囲設定部５０及び選択処理部６０に入力される。一方で、色差入力信号ＲＹｉｎ及び色差入力信号ＢＹｉｎは、色相変換部２０及び選択処理部７０に入力される。
【００２６】
色相変換部２０は、色差信号（色差入力信号ＲＹｉｎ及び色差入力信号ＢＹｉｎ）を色相信号（色相入力信号Ｈｉｎ）に変換する。
【００２７】
具体的には、色相変換部２０は、以下の式（１）に従って、色差入力信号ＲＹｉｎ及び色差入力信号ＢＹｉｎを色相入力信号Ｈｉｎに変換する。
【数１】
2008219290.tif 000003
【００２８】
なお、色相入力信号Ｈｉｎは、補正対象範囲設定部５０及び色相補正部４０に入力される。
【００２９】
輝度補正部３０は、輝度入力信号Ｙｉｎを補正して、輝度補正信号Ｙ１を取得する。なお、輝度補正部３０の詳細については後述する（図７を参照）。
【００３０】
色相補正部４０は、色相入力信号Ｈｉｎを補正して、色相補正信号Ｈ１を取得する。続いて、色相補正部４０は、色相補正信号Ｈ１を色差信号（色差補正信号ＲＹ１及び色差補正信号ＢＹ１）に変換する。なお、色相補正部４０の詳細については後述する（図８を参照）。
【００３１】
補正対象範囲設定部５０は、輝度入力信号Ｙｉｎ及び色相入力信号Ｈｉｎに基づいて補正対象範囲を設定する。ここで、補正対象範囲とは、特定色（例えば、肌色）に相当する映像入力信号の範囲であり、映像入力信号を補正すべき範囲である。なお、補正対象範囲設定部５０の詳細については後述する（図４〜図６を参照）。
【００３２】
選択処理部６０は、映像入力信号の色相が補正対象範囲に含まれるか否かに応じて、輝度入力信号Ｙｉｎを用いるか、輝度補正信号Ｙ１を用いるかを選択する。具体的には、選択処理部６０は、映像入力信号の色相が補正対象範囲に含まれない場合に、輝度入力信号Ｙｉｎを用いると判定して、輝度入力信号ＹｉｎをＲＧＢ信号変換部８０に入力する。一方で、選択処理部６０は、映像入力信号の色相が補正対象範囲に含まれる場合に、輝度補正信号Ｙ１を用いると判定して、輝度補正信号Ｙ１をＲＧＢ信号変換部８０に入力する。
【００３３】
選択処理部７０は、映像入力信号の色相が補正対象範囲に含まれるか否かに応じて、色差入力信号ＲＹｉｎ及び色差入力信号ＢＹｉｎを用いるか、色差補正信号ＲＹ１及び色差補正信号ＢＹ１を用いるかを選択する。具体的には、選択処理部６０は、映像入力信号の色相が補正対象範囲に含まれない場合に、色差入力信号ＲＹｉｎ及び色差入力信号ＢＹｉｎを用いると判定して、色差入力信号ＲＹｉｎ及び色差入力信号ＢＹｉｎをＲＧＢ信号変換部８０に入力する。一方で、選択処理部６０は、映像入力信号の色相が補正対象範囲に含まれる場合に、色差補正信号ＲＹ１及び色差補正信号ＢＹ１を用いると判定して、色差補正信号ＲＹ１及び色差補正信号ＢＹ１をＲＧＢ信号変換部８０に入力する。
【００３４】
ＲＧＢ信号変換部８０は、輝度信号及び色差信号を取得して、輝度信号及び色差信号を映像出力信号（赤出力信号Ｒｏｕｔ、緑出力信号Ｇｏｕｔ及び青出力信号Ｂｏｕｔ）に変換する。具体的には、ＲＧＢ信号変換部８０は、映像入力信号の色相が補正対象範囲に含まれない場合に、輝度入力信号Ｙｉｎ、色差入力信号ＲＹｉｎ及び色差入力信号ＢＹｉｎを映像出力信号に変換する。一方で、ＲＧＢ信号変換部８０は、映像入力信号の色相が補正対象範囲に含まれる場合に、輝度補正信号Ｙ１、色差補正信号ＲＹ１及び色差補正信号ＢＹ１を映像出力信号に変換する。
【００３５】
（人間の視覚特性）
以下において、第１実施形態に係る人間の視覚特性について、図面を参照しながら説明する。図２は、第１実施形態に係る人間の視覚特性について説明するための図である。図３は、第１実施形態に係る人間が認識する色相について説明するための図である。
【００３６】
以下においては、特定色（肌色）の色相を有する画素について、輝度が高いケースと輝度が低いケースとを例に挙げて説明する。なお、以下においては、映像入力信号の色相（色相入力信号Ｈｉｎ）が同じであって、映像入力信号の輝度（輝度入力信号Ｙｉｎ）のみが異なる場合について説明することに留意すべきである。
【００３７】
図２（ａ）に示すように、輝度が高いケースにおいて、図３におけるＸ軸方向の値がＸ１である場合について考えると、人間の視覚特性を考慮した場合には、輝度が低下するに従って、図３におけるＸ軸方向の値が大きい方にシフトする。
【００３８】
一方で、図２（ｂ）に示すように、輝度が高いケースにおいて、図３におけるＹ軸方向の値がＹ１である場合について考えると、人間の視覚特性を考慮した場合には、輝度が低下するに従って、図３におけるＹ軸方向の値が小さい方にシフトする。
【００３９】
従って、図３に示すように、輝度が高いケースにおいて、人間が認識する表示映像（画素）の色相がＡ点であっても、輝度が低いケースにおいては、人間が認識する表示映像（画素）の色相がＢ点にシフトする。このように、人間が認識する表示映像（画素）の色相は、映像入力信号の色相（色相入力信号Ｈｉｎ）が同じであっても、映像入力信号（輝度入力信号Ｙｉｎ）の輝度に応じて異なる。
【００４０】
（補正対象範囲設定部の詳細）
以下において、上述した補正対象範囲設定部５０の詳細について、図面を参照しながら説明する。図４〜図６は、第１実施形態に係る補正対象範囲設定部５０の詳細について説明するための図である。
【００４１】
最初に、映像入力信号の輝度（輝度入力信号Ｙｉｎ）が高いケースについて考える。図４に示すように、輝度入力信号Ｙｉｎが高いケースにおいて、補正対象範囲設定部５０は、補正対象範囲を狭く設定する。
【００４２】
次に、映像入力信号の輝度（輝度入力信号Ｙｉｎ）が低いケースについて考える。図５に示すように、輝度入力信号Ｙｉｎが低いケースにおいて、補正対象範囲設定部５０は、補正対象範囲を広く設定する。
【００４３】
すなわち、図６に示すように、補正対象範囲設定部５０は、輝度入力信号Ｙｉｎが高い場合には、色相θ１〜色相θ２を補正対象範囲として設定する。一方で、図６に示すように、補正対象範囲設定部５０は、輝度入力信号Ｙｉｎが低い場合には、色相θ３〜色相θ４を補正対象範囲として設定する。
【００４４】
なお、図６において、θＲは赤色の色相を示しており、θＧは緑色の色相を示しており、θＢは青色の色相を示していることに留意すべきである。
【００４５】
このように、補正対象範囲設定部５０は、輝度入力信号Ｙｉｎの輝度の低下に従って人間が認識する表示映像（画素）の色相がシフトするという人間の視覚特性を考慮して、輝度入力信号Ｙｉｎの輝度の低下に伴って補正対象範囲を拡大する。
【００４６】
補正対象範囲設定部５０は、映像入力信号の色相（色相入力信号Ｈｉｎ）が補正対象範囲に含まれる場合には、映像入力信号を補正すべきことを選択処理部６０及び選択処理部７０に指示する。
【００４７】
一方で、補正対象範囲設定部５０は、映像入力信号の色相（色相入力信号Ｈｉｎ）が補正対象範囲に含まれない場合には、映像入力信号を補正すべきでないことを選択処理部６０及び選択処理部７０に指示する。
【００４８】
（輝度補正部の詳細）
以下において、上述した輝度補正部３０の詳細について、図面を参照しながら説明する。図７は、第１実施形態に係る輝度補正部３０の詳細について説明するための図である。
【００４９】
図７に示すように、輝度補正部３０は、輝度入力信号Ｙｉｎが最も高いケース（１００％）において、輝度入力信号Ｙｉｎの輝度補正係数（ＧＹ）を「１」とした場合に、輝度入力信号Ｙｉｎの輝度の低下に従って輝度補正係数（ＧＹ）を大きくする。
【００５０】
具体的には、輝度補正部３０は、以下の式（２）に従って、輝度補正信号Ｙ１を取得する。なお、輝度補正係数（ＧＹ）が「１」であることは、輝度補正が行われないことを意味することに留意すべきである。
【数２】
2008219290.tif 000004
【００５１】
（色相補正部の詳細）
以下において、上述した色相補正部４０の詳細について、図面を参照しながら説明する。図８は、第１実施形態に係る色相補正部４０の詳細について説明するための図である。
【００５２】
図８に示すように、色相補正部４０は、輝度入力信号Ｙｉｎが最も高いケース（１００％）において、色相入力信号Ｈｉｎの色相補正係数（ＧＨ）を「ＧＨ１」とした場合に、輝度入力信号Ｙｉｎの輝度の低下に従って色相補正係数（ＧＨ）を大きくする。
【００５３】
具体的には、色相補正部４０は、以下の式（３）に従って、色相補正信号Ｈ１を取得する。なお、色相補正係数（ＧＨ）が「１」であることは、色相補正が行われないことを意味することに留意すべきである。
【数３】
2008219290.tif 000005
【００５４】
なお、色相補正部４０は、色相補正信号Ｈ１を色差信号（色差補正信号ＲＹ１及び色差補正信号ＢＹ１）に変換する。また、色相目標値（Ｈｔ）は、色相入力信号Ｈｉｎを補正することによって、色相補正信号Ｈ１を近づけるべき目標となる値である。
【００５５】
（作用及び効果）
第１実施形態に係る信号変換装置１００によれば、補正対象範囲設定部５０は、映像入力信号の輝度の高さに応じて、映像入力信号の補正対象範囲を設定する。すなわち、補正対象範囲設定部５０は、人間の視覚特性を考慮して補正対象範囲を設定する。
【００５６】
具体的には、補正対象範囲設定部５０は、映像入力信号の輝度が高い場合に、補正対象範囲を狭く設定し、映像入力信号の輝度が低い場合に、補正対象範囲を広く設定する。すなわち、補正対象範囲設定部５０は、映像入力信号の輝度の低下に従ってユーザが認識する表示映像（画素）の色相がシフトするという視覚特性を考慮して補正対象範囲を設定する。
【００５７】
従って、信号変換装置１００は、映像入力信号の補正を適切に行うことができ、所望の色相で表示映像をユーザに認識させることができる。
【００５８】
例えば、第１実施形態に係る信号変換装置１００によれば、輝度が低いような場合であっても、ユーザが肌色であると認識する表示映像についても、色相補正や輝度補正を行うため、ユーザが肌色であると認識する表示映像を有効に補正することができる。
【００５９】
第１実施形態に係る信号変換装置１００によれば、映像入力信号の色相が補正対象範囲に含まれる場合に、輝度補正部３０は、映像入力信号の輝度の高さに応じて、映像入力信号の輝度を補正する（輝度補正係数（ＧＹ）を参照）。同様に、色相補正部４０は、映像入力信号の輝度の高さに応じて、映像入力信号の色相を補正する（色相補正係数（ＧＨ）を参照）。従って、信号変換装置１００は、映像入力信号の補正をさらに適切に行うことができ、所望の色相で表示映像をユーザに認識させることができる。
【００６０】
［第１実施形態の変形例］
上述した第１実施形態では、映像入力信号の色相が肌色の色相である場合について説明したが、これに限定されるものではない。具体的には、第１実施形態の変形例では、映像入力信号の色相が金属色の色相である場合について説明する。
【００６１】
ここで、補正対象範囲設定部５０の動作や色相補正部４０の動作は、上述した第１実施形態と同様であるが、輝度補正部３０の動作は、上述した第１実施形態と異なる。従って、以下においては、輝度補正部３０の詳細について説明する。
【００６２】
（輝度補正部の詳細）
以下において、上述した輝度補正部３０の詳細について、図面を参照しながら説明する。図９は、第１実施形態の変形例に係る輝度補正部３０の詳細について説明するための図である。
【００６３】
図９に示すように、輝度補正部３０は、輝度入力信号Ｙｉｎが最も高いケース（１００％）において、輝度入力信号Ｙｉｎの輝度補正係数（ＧＹ）を「ＧＹ３」とした場合に、輝度入力信号Ｙｉｎの上昇に従って輝度補正係数（ＧＹ）を大きくする。
【００６４】
具体的には、輝度補正部３０は、以下の式（４）に従って、輝度補正信号Ｙ１を取得する。なお、輝度補正係数（ＧＹ）が「１」であることは、輝度補正が行われないことを意味することに留意すべきである。
【数４】
2008219290.tif 000006
【００６５】
このように、低い輝度を有する輝度入力信号Ｙｉｎについては、輝度入力信号Ｙｉｎの輝度をさらに低下させ、高い輝度を有する輝度入力信号Ｙｉｎについては、輝度入力信号Ｙｉｎの輝度をさらに上昇させる。
【００６６】
すなわち、信号変換装置１００は、映像入力信号の色相が金属色の色相である場合には、コントラストが大きくなるように映像入力信号を補正する。
【００６７】
なお、信号変換装置１００は、映像入力信号の色相が他の記憶色（水色）の色相である場合に、水色の色相に適した映像入力信号の補正を行ってもよい。記憶色とは、鮮やかな色として人間が一般的に記憶している色である。
【００６８】
以上説明したように、信号変換装置１００は、映像入力信号の色相の種類に応じて、色相の種類に応じた映像入力信号の補正（輝度補正や色相補正）を行うことが好ましい。
【００６９】
［第２実施形態］
以下において、第２実施形態について図面を参照しながら説明する。以下においては、上述した第１実施形態と第２実施形態との相違点について主として説明する。
【００７０】
具体的には、上述した第１実施形態では、信号変換装置１００は、映像入力信号の色相が補正対象範囲に含まれる場合に映像入力信号の補正を行う。
【００７１】
これに対して、第２実施形態では、信号変換装置１００は、１フレーム内に含まれる複数の画素を複数の色相カテゴリに分類した上で、各画素が分類された色相カテゴリの数が所定数よりも少ない場合に映像入力信号の補正を行う。
【００７２】
（信号変換装置の構成）
以下において、第２実施形態に係る信号変換装置の構成について、図面を参照しながら説明する。図１０は、第２実施形態に係る信号変換装置１００の構成を示すブロック図である。
【００７３】
図１０に示すように、信号変換装置１００は、図１に示した構成に加えて、補正判定部９０を有する。
【００７４】
補正判定部９０は、１フレーム内に含まれる各画素を色相入力信号Ｈｉｎに応じて複数の色相カテゴリに分類する。ここで、色相カテゴリとは、例えば、０°〜３６０°の色相を３０°毎に分割したカテゴリである。
【００７５】
具体的には、補正判定部９０は、図１１（ａ）及び図１１（ｂ）に示すように、各色相カテゴリに分類された画素のヒストグラムを生成する。
【００７６】
続いて、補正判定部９０は、画素が分類された色相カテゴリの数を計数して、色相カテゴリの数が所定数よりも少ない場合には、映像入力信号の補正を行うと判定する。一方で、補正判定部９０は、画素が分類された色相カテゴリの数を計数して、色相カテゴリの数が所定数よりも多い場合には、映像入力信号の補正を行わないと判定する。
【００７７】
例えば、補正判定部９０は、図１１（ａ）に示すように、画素が分類された色相カテゴリが少ない場合には、映像入力信号の補正を行うと判定する。一方で、補正判定部９０は、図１１（ｂ）に示すように、画素が分類された色相カテゴリが多い場合には、映像入力信号の補正を行わないと判定する。
【００７８】
なお、補正判定部９０が映像入力信号の補正を行うと判定した場合には、上述した第１実施形態と同様に、補正対象範囲設定部５０は、輝度入力信号Ｙｉｎに応じて補正対象範囲を設定する。また、補正対象範囲設定部５０は、映像入力信号の色相（色相入力信号Ｈｉｎ）が補正対象範囲に含まれる場合には、映像入力信号を補正すべきことを選択処理部６０及び選択処理部７０に指示する。
【００７９】
一方で、補正判定部９０が映像入力信号の補正を行わないと判定した場合には、補正対象範囲設定部５０は、補正対象範囲を設定せずに、映像入力信号を補正すべきでないことを選択処理部６０及び選択処理部７０に指示する。
【００８０】
（作用及び効果）
第２実施形態に係る信号変換装置１００によれば、補正判定部９０は、１フレーム内に含まれる複数の画素が分類された色相カテゴリの数に応じて、映像入力信号の補正を行うか否かを判定する。
【００８１】
具体的には、補正判定部９０は、各画素が分類された色相カテゴリの数が多い場合には、映像入力信号の補正を行わないと判定し、各画素が分類された色相カテゴリの数が少ない場合には、映像入力信号の補正を行うと判定する。
【００８２】
従って、１フレームに含まれる画素の色相がバラツキを有する場合に、映像入力信号の補正が行われることによって、表示映像の画質が逆に劣化してしまうことを抑制することができる。
【００８３】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００８４】
例えば、上述した実施形態では、色相補正係数（ＧＨ）は、映像入力信号の輝度に応じて可変であるが、これに限定されるものではない。具体的には、色相補正係数（ＧＨ）は固定値であってもよい。
【００８５】
上述した実施形態では、色相目標値（Ｈｔ）は固定値であるが、これに限定されるものではない。具体的には、色相目標値（Ｈｔ）は、映像入力信号の輝度に応じて可変であってもよい。なお、色相目標値（Ｈｔ）は、映像入力信号の色相の種類に応じて異なることは勿論である。
【００８６】
上述した実施形態に係る信号変換装置１００は、ＰＤＰ（Ｐｌａｓｍａ  Ｄｉｓｐｌａｙ  Ｐａｎｅｌ）、ＬＣＤ（Ｌｉｑｕｉｄ  Ｃｒｙｓｔａｌ  Ｄｉｓｐｌａｙ）、プロジェクタなどのような映像表示装置に用いられる。このようなケースでは、映像出力信号は、光変調量の制御などに用いられる。
【図面の簡単な説明】
【００８７】
【図１】第１実施形態に係る信号変換装置１００の構成を示すブロック図である。
【図２】第１実施形態に係る人間の視覚特性について説明するための図である。
【図３】第１実施形態に係るユーザが認識する色相について説明するための図である。
【図４】第１実施形態に係る補正対象範囲設定部５０の詳細について説明するための図である。
【図５】第１実施形態に係る補正対象範囲設定部５０の詳細について説明するための図である。
【図６】第１実施形態に係る補正対象範囲設定部５０の詳細について説明するための図である。
【図７】第１実施形態に係る輝度補正部３０の詳細について説明するための図である。
【図８】第１実施形態に係る色相補正部４０の詳細について説明するための図である。
【図９】第１実施形態の変形例に係る輝度補正部３０の詳細について説明するための図である。
【図１０】第１実施形態に係る信号変換装置１００の構成を示すブロック図である。
【図１１】第１実施形態に係る補正判定部９０の詳細について説明するための図である。
【符号の説明】
【００８８】
１０・・・輝度／色差信号変換部、２０・・・色相変換部、３０・・・輝度補正部、４０・・・色相補正部、５０・・・補正対象範囲設定部、６０・・・選択処理部、７０・・・選択処理部、８０・・・ＲＧＢ信号変換部、９０・・・補正判定部、１００・・・信号変換装置
【図１】
2008219290.tif 000007
【図２】
2008219290.tif 000008
【図３】
2008219290.tif 000009
【図４】
2008219290.tif 000010
【図５】
2008219290.tif 000011
【図６】
2008219290.tif 000012
【図７】
2008219290.tif 000013
【図８】
2008219290.tif 000014
【図９】
2008219290.tif 000015
【図１０】
2008219290.tif 000016
【図１１】
2008219290.tif 000017